(57)【特許請求の範囲】
【請求項１】
ラッチ留め位置とラッチ外し位置との間で動くよう構成されたプラテンラッチ組立体であって、
第１の端部及び第２の端部を備えたラッチシャフトを含み、
各々がピボット端部と反対側のラッチフックを備えた第１のラッチアーム及び第２のラッチアームを含み、前記第１のラッチアームは、前記第１のラッチアームの前記ピボット端部の近くで前記ラッチシャフトに結合され、前記第２のラッチアームは、前記第２ラッチアームの前記ピボット端部の近くで前記ラッチシャフトに結合され、
前記第１のラッチアームの前記ラッチフックと前記ピボット端部との間で前記第１のラッチアームから延びるラッチ解除レバーを含み、前記ラッチ解除レバーは、前記プラテンラッチ組立体を作動時に前記ラッチ留め位置から前記ラッチ外し位置に駆動するよう構成され、
前記第１のラッチアームの前記ピボット端部及び前記第２のラッチアームの前記ピボット端部のうちの少なくとも一方の近くで延びる少なくとも１つのラッチアーム錘を含む、プラテンラッチ組立体。
【請求項２】
前記少なくとも１つのラッチアーム錘は、第１のラッチアーム錘及び第２のラッチアーム錘から成り、前記第１のラッチアーム錘は、前記第１のラッチアームの前記ピボット端部の近くで延び、前記第２のラッチアーム錘は、前記第２のラッチアームの前記ピボット端部の近くで延びている、請求項１記載のプラテンラッチ組立体。
【請求項３】
前記ラッチシャフト、前記第１のラッチアーム、又は前記第２のラッチアームに結合された戻しばねマウントを更に含む、請求項１記載のプラテンラッチ組立体。
【請求項４】
前記第１のラッチアームは、少なくとも１つの解除突出部を更に有し、
前記プラテンラッチ組立体は、第２のラッチ解除レバーを更に含み、前記第２のラッチ解除レバーは、前記少なくとも１つの解除突出部に係合して前記プラテンラッチ組立体を作動時にラッチ留め位置からラッチ外し位置に駆動するよう構成された少なくとも１つの解除駆動突出部を有する、請求項１記載のプラテンラッチ組立体。
【請求項５】
前記第１のラッチアームの前記第２の端部に連結された錘ハウジングを更に含み、前記少なくとも１つのラッチアーム錘は、前記錘ハウジング内に保持されている、請求項１記載のプラテンラッチ組立体。
【請求項６】
前記第１のラッチアーム又は前記第２のラッチアームは、前記ラッチフックと前記ピボット端部との間に少なくとも１つの重量軽減空所を備えている、請求項１記載のプラテンラッチ組立体。
【発明の詳細な説明】
【技術分野】
【０００１】
本明細書において確認される実施形態は、モバイルプリンタ、特にモバイルプリンタに用いられるモジュール式印刷駆動装置組立体及びプラテン組立体に関する。
【発明の概要】
【発明が解決しようとする課題】
【０００２】
モバイルプリンタと関連して多くの欠点及び問題のあることが本明細書において理解される。技術的労力、発明力、及び技術革新の利用により、これら確認される問題のうちの多くの例示の解決手段が以下に詳細に説明される本発明によって具体化される。
【課題を解決するための手段】
【０００３】
モジュール式印刷駆動装置組立体及びモジュール式プラテン組立体を開示することができる。実施形態では、ラッチ留め位置とラッチ外し位置との間で動くよう構成されたプラテンラッチ組立体であって、プラテンラッチ組立体は、第１の端部及び第２の端部を備えたラッチシャフトと、各々がピボット端部と反対側のラッチフックを備えた第１のラッチアーム及び第２のラッチアームとを含み、第１のラッチアームは、第１のラッチアームのピボット端部の近くでラッチシャフトに結合され、第２のラッチアームは、第２ラッチアームのピボット端部の近くでラッチシャフトに結合され、プラテンラッチ組立体は、第１のラッチアームのラッチフックとピボット端部との間で第１のラッチアームから延びるラッチ解除レバーを更に含み、ラッチ解除レバーは、プラテンラッチ組立体を作動時にラッチ留め位置からラッチ外し位置に駆動するよう構成され、プラテンラッチ組立体は更に、第１のラッチアームのピボット端部及び第２のラッチアームのピボット端部のうちの少なくとも一方の近くで延びる少なくとも１つのラッチアーム錘を含むことを特徴とするプラテンラッチ組立体が提供される。
【０００４】
プラテンラッチ組立体の例示の実施形態では、少なくとも１つのラッチアーム錘は、第１のラッチアーム錘及び第２のラッチアーム錘から成り、第１のラッチアーム錘は、第１のラッチアームのピボット端部の近くで延び、第２のラッチアーム錘は、第２のラッチアームのピボット端部の近くで延びる。幾つかの例示の実施形態では、プラテンラッチ組立体は、ラッチシャフト、第１のラッチアーム、又は第２のラッチアームに結合された戻しばねマウントを更に含む。
【０００５】
プラテンラッチ組立体の幾つかの例示の実施形態では、第１のラッチアームは、少なくとも１つの解除突出部を更に有し、プラテンラッチ組立体は、第２のラッチ解除レバーを更に含み、第２のラッチ解除レバーは、少なくとも１つの解除突出部に係合してプラテンラッチ組立体を作動時にラッチ留め位置からラッチ外し位置に駆動するよう構成された少なくとも１つの解除駆動突出部を有する。例示の実施形態では、プラテンラッチ組立体は、第１のラッチアームの第２の端部に連結された錘ハウジングを更に含む。少なくとも１つのラッチアーム錘は、錘ハウジング内に保持されている。プラテンラッチ組立体の幾つかの例示の実施形態では、第１のラッチアーム又は第２のラッチアームは、ラッチフックとピボット端部との間に少なくとも１つの重量軽減空所を備えている。
【０００６】
別の例示の実施形態では、プラテン組立体であって、第１の端部の近くに第１のプラテンシャフト孔を備えるとともに第２の端部の近くに第２のプラテンシャフト孔を備えたプラテンハウジングと、第１のプラテンシャフト孔及び第２のプラテンシャフト孔内に回転可能に受けられるよう構成されたプラテンと、プラテンハウジングから延びていてプリンタ蓋組立体によって摺動可能に受け入れられるよう構成された実質的に扁平な取り付けフランジと、を含むことを特徴とするプラテン組立体が提供される。
【０００７】
プラテン組立体の例示の実施形態では、プラテン組立体は、第１の端部の近くに第１のプラテンシャフト孔を備えるとともに第２の端部の近くに第２のプラテンシャフト孔を備えたプラテンハウジングと、第１のプラテンシャフト孔及び第２のプラテンシャフト孔内に回転可能に受け入れられるよう構成されたプラテンとを更に含み、プラテンは、駆動端部及び保持端部を備え、プラテンは、プラテンの駆動端部の近くにかつ第１のプラテンシャフト孔内に設けられた第１のシャフト軸受と、プラテンの駆動端部の近くにかつ第１のシャフト軸受の更に近くに設けられた駆動歯車と、プラテンの保持端部の近くにかつ第２のプラテンシャフト孔内に設けられた第２のシャフト軸受とを更に有する。
【０００８】
プラテン組立体の幾つかの例示の実施形態では、プラテンは、プラテンローラ内に設けられたプラテンシャフトを有し、シャフトは、保持端部及び駆動端部を有する。プラテン組立体の例示の実施形態では、プラテン組立体は、プラテンシャフトの保持端部に連結されたシャフトジャーナルを更に含む。プラテンの例示の実施形態では、プラテンシャフトは、長手方向軸線を有し、シャフトジャーナルは、プラテンシャフトと同一の長手方向軸線のところでプラテンシャフトに連結されている。
【０００９】
プラテン組立体の例示の実施形態では、駆動歯車とシャフトジャーナルは、プラテンの取り外しを可能にするよう互いに取り外し可能に連結されている。幾つかの例示の実施形態では、プラテン組立体は、プラテンハウジングに連結されていて、プラテンハウジングに連結されたティアーバーを更に含み、ティアーバーは、圧力がティアーバーに当てられた状態の印刷媒体に加えられると、印刷媒体を裂くよう構成されている。プラテン組立体の例示の実施形態では、プラテンは、非粘着プラテンローラを有し、プラテン組立体は、プラテンスクレーパを更に含む。プラテン組立体の例示の実施形態では、プラテンハウジングは、プリンタ媒体接近蓋のフランジ及び複数の取り付け孔と対応関係をなして整列するよう構成された取り付けフランジ及び複数の取り付け孔を更に有する。
【００１０】
プラテンラッチ組立体の別の例示の実施形態では、ラッチフック及びピボット端部を備えたラッチアームを含むプラテンラッチ組立体が提供され、ラッチアームは、ラッチ留め位置とラッチ外し位置との間で回転するよう構成され、プラテンラッチ組立体は、ラッチアームに沿ってロック位置とロック解除位置との間で並進するよう摺動可能に結合されたロックアームと、ロックアームをロック位置とロック解除位置との間で駆動するよう構成されるとともに更にラッチアームをラッチ留め位置からラッチ外し位置に駆動するよう構成されたカムアクチュエータとを含む。
【００１１】
プラテンラッチ組立体の例示の実施形態では、ロックアームは、ロック端部のところにロックバーを有する。プラテンラッチ組立体の幾つかの例示の実施形態では、ロックアームは、少なくとも１つのロックアーム孔を有し、ラッチアームは、少なくとも１つのロック案内を有し、少なくとも１つのロック案内は、少なくとも１つのロックアーム孔に侵入する。プラテンラッチ組立体の幾つかの例示の実施形態では、プラテンラッチ組立体のアライメントは、少なくとも１つのロックアーム孔中への少なくとも１つのロック案内侵入に応答して維持される。
【００１２】
プラテンラッチ組立体の例示の実施形態では、ロックアームは、張力端部のところに張力マウントを有し、ラッチアームは、ラッチフックとピボット端部との間に位置した張力マウントを更に有する。幾つかの例示の実施形態では、プラテンラッチは、ラッチアームの張力マウントとロックアームの張力マウントとの間に連結された張力機構体を更に含み、ロックアームは、ラッチアームの張力マウントとロックアームの張力マウントとの間における張力機構体による張力の印加に応答してロック位置の方へ付勢される。
【００１３】
例示の実施形態では、プラテンラッチ組立体は、ロックアームに連結されたロックカムを更に含む。ロックアームは、ロックカムの作動に応答してロック解除位置に動く。プラテンラッチ組立体は、ラッチアームに連結されたラッチカムを更に含む。ラッチアームは、ラッチカムの作動に応答してラッチ外し位置に動く。プラテンラッチ組立体の幾つかの例示の実施形態では、ラッチアームのラッチフックは、ラッチカムの作動に応答してプラテン組立体から外される。
【００１４】
プラテン組立体の幾つかの例示の実施形態では、カムアクチュエータは、作動時にラッチカムを作動させる前にロックカムを作動させるよう構成されている。プラテン組立体の例示の実施形態では、カムアクチュエータの作動は、カムアクチュエータの回転を含む。プラテン組立体の例示の実施形態では、カムアクチュエータは、ロックカムを作動させるよう構成されたロック作動突出部及びラッチカムを作動させるよう構成されたラッチ作動突出部を更に有する。プラテン組立体の幾つかの例示の実施形態では、プラテンラッチ組立体は、カムアクチュエータを作動させるよう構成されたラッチ解除装置を更に含む。
【００１５】
プラテンラッチ組立体の例示の実施形態では、ピボットは、シャフト受け入れ具であり、プラテンラッチ組立体は、第１の端部のところでシャフト受け入れ具に連結されたシャフト及び第２の端部のところに位置する第２のラッチアームを更に含む。プラテンラッチ組立体の幾つかの例示の実施形態では、ラッチアーム又はロックアームは、少なくとも１つの重量軽減空所を備える。プラテンラッチ組立体の例示の実施形態では、カムアクチュエータは、ラックピニオン装置から成る。
【００１６】
さらに別の例示の実施形態では、プリンタに挿入したりプリンタから取り出したりすることができるよう構成されたモジュール式印刷駆動装置組立体であって、モジュール式印刷駆動装置組立体は、複数のプリンタマウント締結具を備えた印刷駆動装置ハウジングと、印刷駆動装置ハウジングに結合された状態でこの印刷駆動装置ハウジングによって支持されたプリントヘッドと、印刷駆動装置ハウジングに結合された状態でこの印刷駆動装置ハウジングによって支持されたプラテンラッチ組立体とを含む。プラテンラッチ組立体は、プラテンとプリントヘッドとの間にニップを形成する位置でプラテンを取り外し可能に受け入れるよう構成されている。モジュール式印刷駆動装置組立体は、印刷ハウジングに結合された状態でこの印刷ハウジングによって支持されたプラテン駆動モータを更に含み、プラテン駆動モータは、プラテンラッチ組立体内に受け入れられると、プラテンを駆動することができるよう印刷ハウジングによって支持されている。
【００１７】
モジュール式印刷駆動組立体の幾つかの例示の実施形態では、プリンタマウント締結具は、印刷駆動装置ハウジングに設けられた複数の印刷マウント保持孔及び複数の保持機構体を有する。例示の実施形態では、印刷駆動装置組立体は、プリントヘッドハウジングに連結されていて第１の方向にあるときに印刷媒体を裂くよう構成された印刷駆動装置ティアーバーを更に含む。印刷駆動装置組立体の例示の実施形態では、プラテンラッチは、プラテン組立体のプラテンをプリントヘッドに当てて保持するよう構成され、プラテン組立体は、第１の方向と逆の第２の方向で印刷媒体を裂くよう構成されたプラテンティアーバーを更に含む。印刷駆動装置組立体の幾つかの例示の実施形態では、プラテンラッチ組立体は、プラテンラッチを解除するよう構成された第１のラッチ解除レバー及び第２のラッチ解除レバーを含み、第１のプラテン解除レバーは、第１の方向に作動されるよう構成され、第２のラッチ解除レバーは、第１の方向とは逆の第２の方向に作動されるよう構成されている。
【００１８】
かくして、本発明を概略的に説明したが、次に添付の図面を参照し、添付の図面は、必ずしも縮尺通りには描かれていない。
【図面の簡単な説明】
【００１９】
【図１Ａ】本発明の例示の実施形態による例示のモバイルプリンタの斜視図である。
【図１Ｂ】本発明の例示の実施形態による例示のモジュール式印刷駆動装置及びプラテン組立体の斜視図である。
【図１Ｃ】本発明の例示の実施形態によるデュアルティアーバーの断面図である。
【図２Ａ】本発明の例示の実施形態による例示のモジュール式印刷駆動装置組立体の分解組立て図である。
【図２Ｂ】本発明の例示の実施形態による印刷駆動装置組立体及びプラテン組立体の断面図である。
【図３】本発明の例示の実施形態による組み立て状態のモジュール式印刷駆動装置組立体の下から見た斜視図である。
【図４】本発明の例示の実施形態による組み立て状態のモジュール式印刷駆動装置組立体の前から見た斜視図である。
【図５】本発明の例示の実施形態による組み立て状態のモジュール式印刷駆動装置組立体の上から見た斜視図である。
【図６Ａ】本発明の例示の実施形態によるモジュール式プラテン組立体の斜視図である。
【図６Ｂ】本発明の例示の実施形態によるモジュール式プラテン組立体の斜視図である。
【図７】本発明の例示の実施形態によるモジュール式プラテン組立体の分解組立て図である。
【図８Ａ】本発明の例示の実施形態による組み立て状態のモジュール式プラテン組立体及び媒体蓋の上から見た斜視図である。
【図８Ｂ】本発明の例示の実施形態による組み立て状態のモジュール式プラテン組立体及び媒体蓋の下から見た斜視図である。
【図８Ｃ】本発明の例示の実施形態による媒体蓋及び媒体案内の分解組立て図である。
【図９】本発明の例示の実施形態による例示の錘付きラッチ組立体の分解組立て図である。
【図１０Ａ】本発明の例示の実施形態による組み立て状態の例示の錘付きラッチ組立体の斜視図である。
【図１０Ｂ】本発明の例示の実施形態による組み立て状態の例示の錘付きラッチ組立体の作動状態を示す斜視図である。
【図１０Ｃ】本発明の例示の実施形態による組み立て状態の例示の錘付きラッチ組立体の作動状態を示す斜視図である。
【図１０Ｄ】本発明の例示の実施形態による組み立て状態の例示の錘付きラッチ組立体の作動状態を示す斜視図である。
【図１１Ａ】本発明の例示の実施形態によるラッチアーム及び第２のラッチ解除レバーの分解組立て図である。
【図１１Ｂ】本発明の例示の実施形態によるラッチアーム及び第２のラッチ解除レバーの作動状態を示す斜視図である。
【図１２】本発明の幾つかの例示の実施形態によるロック式プラテンラッチ組立体の前から見た斜視図である。
【図１３Ａ】本発明の幾つかの例示の実施形態によるロック式プラテンラッチ組立体の作動状態の前から見た斜視図である。
【図１３Ｂ】本発明の幾つかの例示の実施形態によるロック式プラテンラッチ組立体の作動状態の前から見た斜視図である。
【図１３Ｃ】本発明の幾つかの例示の実施形態によるロック式プラテンラッチ組立体の作動状態の前から見た斜視図である。
【図１３Ｄ】本発明の幾つかの例示の実施形態によるロック式プラテンラッチ組立体の作動状態の後から見た斜視図である。
【図１４Ａ】本発明の例示の実施形態としての例示のプラテンラッチ解除ボタンを示す図である。
【図１４Ｂ】本発明の例示の実施形態としての例示のプラテンラッチ解除ボタンを示す図である。
【発明を実施するための形態】
【００２０】
いま、以下において添付の図面を参照して本発明を説明し、図中、本発明の全てではなく幾つかの実施形態が図示されている。確かに、本発明は、多くの互いに異なる形態で具体化できるので、本発明は、本明細書において説明する実施形態に限定されるものと解されてはならず、これとは異なり、これら実施形態は、本発明が該当する法上の要件を満たすように提供されている。同一の符号は、図面全体を通じて同一の要素を示している。
【００２１】
概観
従来型モバイルプリンタは、コンポーネント、例えば印刷駆動装置及び／又はプラテンを交換し又は修理するのに相当な分解を必要とする場合がある。プリンタを分解するには、幾つかの小さな部品及び締結具の取り外しを必要とする場合があり、これらは、取り外すとともに／あるいは交換するのが困難な場合がある。幾つかの場合、締結具は、小さい場合があるのでプリンタコンポーネントの修理又は交換の際になくなりやすい。
【００２２】
モジュール式コンポーネント、例えば本明細書において説明するモジュール式プラテン組立体又はモジュール式印刷駆動装置を利用することにより、交換を行うのに必要な時間及びエネルギーを減少させることができる。さらに、分解を減らすことにより再組み立て中になくなる部品もまた減少させることができる。モジュール式コンポーネントの交換により、モバイルプリンタを供用状態に迅速にかつ高い信頼性を持って戻すことができる。
【００２３】
本発明の種々の実施形態は、プリンタ衝撃及びもし本発明のように構成されていなければプラテン（及び媒体ドア）をラッチ解除するのに役立つイベントに応答してプラテン（及び媒体ドア）を良好に固定するよう構成されたプラテンラッチ組立体に関すると言える。幾つかの実施形態では、プラテンラッチ組立体は、付勢錘をラッチ組立体に加えることによって高い信頼性を持つことができるように構成できる。付勢錘は、ラッチピボットと反対側のラッチアームに取り付けられている付勢錘の幾何学的形状に基づいて衝撃のラッチ解除力に対抗するよう構成されるのが良い。ラッチ戻しばねがプラテンラッチ及び媒体蓋を閉じられた状態に維持するのを助けるよう作動する力をラッチアームに対抗して生じさせることができる。
【００２４】
プラテンラッチ組立体は、追加的に又は代替的に、ラッチの信頼性を高めるためにラッチロックを備えるのが良い。プラテンラッチ組立体は、２段式のものとして、例えば、ラッチ解除装置の作動により先ず最初にラッチ解除し、次にラッチアームをラッチ解除位置に動かすのが良いロック式ラッチとして構成されるのが良い。幾つかの実施形態では、２段式ラッチ組立体は、プラテン組立体がプリントヘッドから偶発的に離脱するのを阻止することができるとともに／あるいは媒体蓋が開くのを阻止することができ、それにより高価な媒体が損傷しないよう保護される。
【００２５】
例示のモジュール式印刷駆動装置及びプラテン組立体
図１Ａは、本発明の例示の実施形態による例示のモバイルプリンタ１０の斜視図である。モバイルプリンタは、モジュール式プリンタ組立体１００、モジュール式プラテン組立体２００、媒体蓋４２４、及び媒体１１を有するのが良い。媒体蓋４２４は、開いていてプリンタ１０から取り外される。
【００２６】
図１Ｂは、本発明の例示の実施形態による例示のモジュール式印刷駆動装置組立体１００及びプラテン組立体２００の斜視図である。モジュール式印刷駆動装置組立体１００及びプラテン組立体２００は、印刷駆動装置組立体１００及びプラテン組立体２００を含むのが良い。プラテン組立体２００は、ラッチ組立体３００によって印刷駆動装置組立体のプリントヘッドに当てられた状態で定位置に保持されるのが良い。
【００２７】
プラテン組立体２００が印刷駆動装置組立体１００と係合している場合、それぞれのティアーバー（以下に説明する１１２，２１８）を整列させてデュアルティアーバー１０１を作るのが良い。それぞれのティアーバー１１２，２１８は、印刷済みの媒体を媒体とデュアルティアーバー１０１の接触箇所のところで又はこの近くで裂くよう構成された鋭利なエッジ、のこ歯（ぎざぎざ）などを有するのが良い。ティアーバー１１２／２１８は、圧力がティアーバーに当てられた状態の媒体に加えられると媒体を裂くことができる。モバイルプリンタがデュアルティアーバー１０１を備えている場合、圧力がプラテンティアーバーに当てられた状態の媒体に加えられるとプラテンティアーバー２１８によって又は圧力が印刷駆動装置ティアーバー１１２に当てられた状態の媒体に加えられると印刷駆動装置ティアーバー１１２によって媒体を裂くことができる。換言すると、ティアーバー１１２／２１８は、圧力をいずれか一方の方向に加えることによって媒体を裂くことができるように構成されている。具体的に説明すると、印刷済み媒体は、デュアルティアーバー１０１を通過するのが良く、例えば、印刷駆動装置ティアーバー１１２は、印刷済み媒体の第１の面上に位置し、プラテン組立体ティアーバー２１８は、印刷済み媒体の第１の面上に位置する。幾つかの実施形態では、ティアーバー１１２／２１８は、ティアーバーの角度に基づいて漏斗状の形状を作っても良い。漏斗状の形状は、図１Ｃに示されているように、媒体を受け入れるティアーバー１１２／２１８のプリンタ側で幅が広く、媒体出力側では幅が狭いのが良い。
【００２８】
印刷駆動装置１００、プラテンラッチ組立体３００及びプラテン組立体２００について以下に詳細に説明する。印刷駆動装置組立体１００については図２〜図５を参照して説明し、プラテン組立体２００については、図６〜図８Ｃを参照して説明し、プラテンラッチ組立体３００，４００については、図９〜図１４Ｂを参照して説明する。
【００２９】
例示のモジュール式印刷駆動装置組立体
図２Ａは、本発明の例示の実施形態による例示のモジュール式印刷駆動装置組立体１００の分解組立て図である。モジュール式印刷駆動装置組立体１００は、印刷駆動装置ハウジング１０２、プリントヘッド１０４、プラテンラッチ組立体３００、ステップモータ１０８、印刷駆動装置歯車組立体１１０、ティアーバー１１２、媒体センサ１１４、プリントヘッド圧力板１１６、プリントヘッド圧力ばね１１８、無線周波数アンテナ１２０、プリンタマウント締結具１２６、媒体蓋センサ１２８、及びプラテンラッチ組立体ポート１３０を含むのが良い。
【００３０】
印刷駆動装置ハウジング１０２は、１つ又は２つ以上の印刷マウント締結具１２６によってプリンタに連結されるのが良い。印刷マウント締結具１２６は、プリンタ駆動マウント孔に入り込むねじ、フック、ばねクリップ、又は任意他の保持器具であるのが良い。印刷駆動装置ハウジングは、プラテン組立体２００を支持してこれを固定するよう構成されたプラテン組立体凹部１０３を備えるのが良い。プラテン組立体凹部１０３は、プラテン組立体２００を支持することができ、そしてプラテン組立体２００がｘ軸上又はｙ軸上で、例えば水平方向にプリントヘッド１０４に近づいたりこれから遠ざかったりしたり垂直方向に印刷駆動装置組立体１０２に近づいたりこれから遠ざかったりするのを阻止することができる。
【００３１】
プリントヘッド１０４は、サーマルプリントヘッド（例えば、直接サーマルプリントヘッド、熱伝達プリントヘッドなど）、レーザプリントヘッド、インクジェットプリントヘッドなどであるのが良い。プリントヘッド１０４は、ねじ、クリップ、突出部及び凹部、又は他の保持器具を用いて印刷駆動装置ハウジングに連結されるのが良い。プリントヘッド１０４は、電力及び／又は制御信号プリントヘッドに送るよう構成された電子ケーブル及びコネクタ、例えばリボンケーブル又はリボンコネクタを有するのが良い。
【００３２】
プラテンラッチ組立体３００は、図１０Ｂ、図１０Ｃに記載されているようにプラテン組立体２００のプラテンシャフト２０４を改造可能に捕捉する１つ又は２つ以上のラッチアームであるのが良い。プラテンシャフトは、印刷駆動装置組立体１０２内に構成された２つのプラテンラッチ組立体ポート１３０によって回転可能な係合状態で受け入れられる。プラテンラッチ組立体３００は、プラテン組立体とプリントヘッド１０４との間にニップを形成する位置でプラテン組立体２００を受け入れてこれを保持するよう構成されているのが良い。
【００３３】
幾つかの実施形態では、プラテンラッチ組立体２００は、ラッチアーム３０２のラッチフック３０３及び／又は第２のラッチアーム３０６がプリントヘッド１０４に向くとともにラッチアーム３０２及び第２のラッチアーム３０６がラッチ外し位置に作動されるとプリントヘッド１０４から遠ざかるように構成されているのが良い。これにより、プラテンローラ２０２とプリントヘッド１０４との緊密な接触が可能である。加うるに、プリントヘッド１０４から遠ざかるラッチアーム３０２及び第２のラッチアーム３０６の作動により、ラッチアーム又は第２のラッチアームが印刷駆動装置歯車組立体１１０による妨害から阻止することができる。
【００３４】
図２Ｂは、本発明の例示の実施形態によるモジュール式印刷駆動装置組立体１００及びプラテン組立体２００の断面図である。この図は、媒体１１の経路を指示する矢印を含んでいる。媒体１１は、印刷駆動装置ハウジングの媒体案内部分を通り過ぎてプリントヘッド１０４とプラテン２０２との間に構成されたニップ１０３中に入ることができる。媒体１１は、プリントヘッドの出力部のところでニップ１０３を出ることができる。
【００３５】
図２Ａに戻ってこれを参照すると、プラテンラッチ組立体３００は、ラッチアーム３０２に連結されているラッチ解除レバー３０２ａが作動されると回転してプラテン組立体２００を解除することができる。プリンタ駆動装置ハウジング１０２は、ラッチアーム移動をプラテン解除位置で機械的に停止させるよう構成されたラッチ停止部１０５を更に有するのが良い。
【００３６】
幾つかの例示の実施形態では、プラテンラッチ組立体３００は、図９〜図１１Ｂに示されているラッチアーム３０２と接触関係をなした状態で印刷駆動装置ハウジング１０２に回動可能に連結された第２のラッチ解除レバー３０８を更に含むのが良い。ラッチ解除アーム３０２ａ及び第２のラッチ解除アーム３０２は、ラッチアーム３０２を互いに反対側の方向からラッチ外し位置に作動させ、例えば回転させるよう構成されているのが良い。例えば、ラッチ解除レバー３０２ａを圧力が上向きの方向にラッチ解除レバーに加えられると、作動することができ、第２のラッチ解除レバー３０８を下向きの方向に加えられると作動することができる。図９〜図１４Ｂを参照して例示のプラテンラッチ組立体３００及び変形例としてのラッチ組立体４００について以下に詳細に説明する。
【００３７】
ステップモータ１０８は、ねじ、クリップ、フック、又は他の保持器具を用いて印刷駆動装置ハウジングに連結されるのが良い。ステップモータ１０８は、印刷駆動装置歯車組立体１１０に結合されるのが良い。印刷駆動装置歯車組立体１１０の印刷駆動装置歯車１１０ａは、プラテン組立体２００の駆動歯車２１２と接触状態になるのが良い。ステップモータ１０８は、印刷駆動装置歯車組立体の印刷駆動装置歯車１１０ａを回転させることができ、それにより駆動歯車２１２及び関連のプラテン２０２を回転させることができる。
【００３８】
プラテン駆動歯車１１０ａは、歯車の寿命を延ばすために鋼製のポスト及び比較的幅の広い歯車歯を有するのが良い。幅の広い耐久性のあるプラテン駆動歯車１１０ａは、更に、多数の形式の媒体、例えばラベル、レシート及びライナレス媒体に使用されるよう構成されている。
【００３９】
ティアーバー１１２は、プリントヘッド１０４の後でプラテン駆動装置ハウジング１０２に連結されるのが良く、それにより、圧力をティアーバー及びプリントヘッドに向かって印刷済み媒体１１に加えることによって印刷済み媒体を裂くことができる。
【００４０】
プリントヘッド圧力板１１６は、プリントヘッド１０４と反対側で印刷駆動装置ハウジング１０２に連結されるのが良い。プリントヘッド圧力板１１６は、１つ又は２つ以上のプリントヘッド圧力ばね１１８に対して支持作用を提供することができる。プリントヘッド圧力ばね１１８により、プリントヘッドは、前方に動いたり後方に動いたりすることができ、それにより様々な形式の媒体、例えばラベル、レシート、及びライナレス媒体に均等な圧力を加えることができる。プリントヘッド圧力板１１６は、隆起付き軽量材料、例えばプラスチック長ガラス繊維フレーム及び１つ又は２つ以上のアルミニウムブラケットで構成されるのが良い。
【００４１】
媒体センサ１１４は、媒体１１がニップ１０３内に存在している時点を検出するよう構成された磁気センサ、光センサ、又は他のセンサであるのが良い。媒体センサ１１４は、印刷駆動装置ハウジングの印刷媒体案内部分内で印刷駆動装置ハウジング１０２に連結されるのが良く、この媒体センサは、媒体センサポート１２２に入り込むことができ又はこの中に嵌め込み可能である。幾つかの実施形態では、モジュール式印刷駆動装置組立体１００は、複数の媒体センサ１１４を含むのが良く、これら媒体センサ１１４は、各々、複数の媒体センサポート１２２中に例えば印刷駆動装置ハウジング１０２の媒体案内部分の中央及び各側で入り込むことができ又はこれらの中に嵌め込み可能であるのが良い。
【００４２】
無線周波数アンテナ１２０は、印刷駆動装置ハウジング１０２の印刷媒体案内部分に連結されるのが良い。無線周波数アンテナ１２０は、ブルートゥース（Bluetooth）（登録商標）低エネルギー、近接場通信、無線認証、ＷｉＦｉ、又は他の無線周波数技術であるのが良い。無線周波数アンテナ１２０は、裏面接着剤でフレックス回路上にレイアウトされたカップラーアンテナであるのが良い。無線周波数アンテナ１２０は、印刷駆動装置ハウジング１０２に接着されても良い。幾つかの実施形態では、無線周波数アンテナ１２０は、アンテナ回路を含む薄いプリント回路板であっても良い。
【００４３】
媒体蓋センサ１２８は、媒体蓋が閉じられると、媒体蓋が媒体蓋センサを覆うことができる場所で、印刷駆動装置ハウジング１０２、例えば印刷駆動装置ハウジングの側部に連結されるのが良い。媒体蓋センサ１２８は、磁気センサ、光センサ、機械式スイッチなどであるのが良い。例示の実施形態では、ラッチアーム３０２に設けられた突出部が媒体蓋が閉じられた場合に媒体蓋センサ１２８を機械的作動させることができる。
【００４４】
図３は、本発明の例示の実施形態としての組み立て状態のモジュール式印刷駆動装置組立体の下から見た斜視図である。ステップモータ１０８は、印刷駆動装置ハウジング１０２の側部に連結されている。印刷駆動装置ハウジング１０２は、２つの印刷マウント締結具１２６を有し、これら締結具は、この実施形態では、モジュール式印刷駆動装置組立体を分解しないでモジュール式印刷駆動装置組立体をプリンタに連結するためのねじ又はピンを受け入れるよう構成された印刷マウント孔である。
【００４５】
印刷駆動装置組立体１００は、一端がプラテンラッチシャフト３０４に連結されるとともに他端が印刷駆動装置ハウジング１０２に連結されたプラテンラッチ組立体戻しばね１３２を更に含む。プラテンラッチ組立体戻しばね１３２は、圧力をプラテンシャフトに加え、それにより１つ又は２つ以上のラッチアームをラッチ留め位置の方へ付勢する。変形例として、戻しばねは、ラッチアームに結合されても良い。
【００４６】
ラッチ解除レバー３０８は、プラテンラッチ組立体３００と接触関係をなした状態で印刷駆動装置ハウジング１０２に回動可能に連結されている。プリントヘッド圧力板１１６は、プリントヘッド１０４と反対側で印刷駆動装置ハウジング１０２に連結されている。媒体センサ１２８は、ストップモータ１０８と反対側で印刷駆動装置ハウジング１０２に侵入する。
【００４７】
図４は、本発明の例示の実施形態としての組み立て状態のモジュール式印刷駆動装置組立体１００の前から見た斜視図である。ステップモータ１０８は、印刷駆動装置歯車組立体１１０と反対側で印刷駆動装置ハウジング１０２に連結されている。印刷駆動装置ハウジング１０２の印刷媒体案内部分は、複数の媒体センサポート１２２を有している。媒体センサポート１１４が１つ又は２つ以上の媒体ポート１２２の中央に侵入している。無線周波数アンテナ１２０は、例えば接着剤、タブ、棘部などによって印刷駆動装置組立体１０２の印刷媒体案内部分に取り付けられている。無線周波数アンテナ１２０は、媒体センサポート１２２と整列した複数の孔を更に有している。ティアーバー１１２は、例えば、締結具、タブ、クリップなどによってプリントヘッド１０４の出力部のところで印刷駆動ハウジングに連結されている。プリントヘッドの出力部は、印刷済み媒体がプリントヘッド印刷領域を出る領域であるのが良い。
【００４８】
図５は、本発明の例示の実施形態としての組み立て状態のモジュール式印刷駆動装置組立体１００の上から見た斜視図である。印刷駆動装置ハウジング１０２のプリンタマウント締結具１２６は、モジュール式印刷駆動装置組立体１００を分解しないで接近可能であるように位置決めされている。例えば、ステップモータ１０８は、例えば、締結具、クリップ、棘部などによってプリンタマウント締結具１２６の前方で印刷駆動装置ハウジング１０２に連結されており、したがって、プリンタマウント締結具に接近するために取り外されなければならないということはない。
【００４９】
例示のモジュール式プラテン組立体
図６Ａ及び図６Ｂは、本発明の例示の実施形態としてのモジュール式プラテン組立体２００の斜視図である。図６Ａは、ティアーバー２１８を含むモジュール式プラテン組立体２００を示している。図６Ｂは、スクレーパ２２２を含むプラテン組立体２００を示している。
【００５０】
図７は、本発明の例示の実施形態としてのモジュール式プラテン組立体２００の分解組立て図である。モジュール式プラテン組立体２００は、プラテンローラ２０２、プラテンシャフト２０４、プラテンハウジング２０６、プラテンワッシャ２０８、プラテン軸受２１０、駆動歯車２１２、駆動歯車ワッシャ２１４、シャフトジャーナル２１６、ティアーバー２１８，２２０、ティアーバー保持締結具及び駆動歯車保持ねじ２３６を含むのが良い。
【００５１】
プラテンハウジング２０６は、第１及び第２のプラテンシャフト孔２０６ａ，２０６ｂを有するのが良い。プラテンは、プラテンシャフト２０４の周りに設けられたプラテンローラ２０２を有するのが良い。プラテンシャフト２０４は、第１のプラテンシャフト軸受２１０に回転可能に係合することができる。プラテンワッシャ２０８がプラテン軸受とプラテンシャフトとの摩擦を阻止するためにプラテンローラ２０２とプラテンシャフト２０４との間に配置されるのが良い。プラテンシャフト軸受２１０は、第１のプラテンシャフト孔２０６ａ内に位置決めされるのが良い。駆動歯車２１２は、プラテンと反対側の駆動端部のところでかつプラテンハウジング２０６の外部で、駆動歯車保持ねじ２３６及び駆動歯車ワッシャ２１４又は他の保持器具を利用してプラテンシャフトに連結されるのが良い。
【００５２】
幾つかの例示の実施形態では、例えば、スクレーパ２２２を含むプラテン組立体２００では、プラテンローラ２０２は、焦げ付き防止材料で構成されるのが良く又は焦げ付き防止被膜を有するのが良い。焦げ付き防止プラテンローラ２０２及びスクレーパ２２２を含むプラテン組立体２００をライナレス媒体、例えば裏面接着剤付きライナレスラベルに使用できる。
【００５３】
プラテンシャフト２０４は、長手方向軸線を有するのが良く、このプラテンシャフトは、例えばねじ山、クリップ、棘部、摩擦力などによって保持端部が同じ長手方向軸線のところでシャフトジャーナル２１６に結合するのが良い。シャフトジャーナル２１６は、プラテンシャフト２０４の取り外し可能な延長部であるのが良い。シャフトジャーナル２１６は、第２のプラテン軸受２１０に回転可能に係合するのが良い。第２のプラテン軸受２１０は、第２のプラテンハウジング孔２０６ｂ内に位置決めされるのが良い。プラテンハウジング孔２０６ａ／ｂは、プラテン軸受の周囲を完全に包囲するのが良く、それにより例えば衝撃によるプラテンの偶発的な突き出しを阻止し、これらプラテンハウジング孔は、プラテン軸受の周囲を完全に包囲していないクランプ又はクリップよりも耐破壊性又は耐割れ性が高いのが良い。
【００５４】
ティアーバー２１８は、１つ又は２つ以上のティアーバー締結具、例えばねじ、クリップ、又は他の保持直角掛け締結具などを用いてプラテンハウジング２０６に連結されるのが良い。ティアーバー２２０は、圧力がティアーバーに当てられた状態の印刷媒体に加えられると印刷媒体を裂くよう構成されているのが良い。
【００５５】
プラテンハウジング２０６は、取り付け孔２２８ａを含む実質的に扁平な取り付けフランジ２３０を更に有するのが良い。
【００５６】
図８Ａは、本発明の例示の実施形態による組み立て状態のモジュール式プラテン組立体及び媒体蓋の上から見た斜視図である。モジュール式プラテン組立体２００は、取り付けフランジ２３０が媒体蓋２２４の取り付けフランジ２２６と整列するよう構成されているのが良い。媒体蓋の取り付けフランジ２２６はまた、媒体案内２２２の取り付けフランジ２２６と整列しているのが良い。モジュール式プラテン組立体は、媒体蓋２２４と媒体案内２２２との間に摺動可能に受け入れられるのが良い。
【００５７】
図８Ｂは、本発明の例示の実施形態による組み立て状態のモジュール式プラテン組立体及び媒体蓋の下から見た斜視図である。モジュール式プラテン組立体２００は、媒体案内２２２と媒体蓋２２４との間に摺動可能に受け入れられるのが良い。プラテン組立体取り付けフランジ２３０の取り付け孔２２８ａは、媒体蓋２２４の取り付けフランジ２２６及び媒体案内２２２の取り付け孔２２８ｂと整列するのが良い。プラテン組立体２００は、１つ又は２つ以上のプラテン保持締結具２２８、例えばねじ、クリップ、直角掛け締結具などによって保持されるのが良く、これら締結具は、プラテン組立体取り付けフランジ２３０の取り付け孔２２８ａ並びに媒体蓋２２４の取り付けフランジ２２６及び媒体案内２２２の取り付け孔２２８ｂに侵入する。
【００５８】
図８Ｃは、本発明の例示の実施形態としての媒体蓋及び媒体案内の分解組立て図である。媒体案内２２２は、締結具、例えばねじ、クリップ、棘部などによって媒体蓋２２４に連結されるのが良い。
【００５９】
例示の錘付きラッチ組立体
図９は、本発明の例示の実施形態としての例示の錘付きラッチ組立体３００の組立て図である。錘付きラッチ組立体３００は、ラッチアーム３０２、ラッチ解除レバー３０２ａ、ラッチシャフト３０４、第２のラッチアーム３０６、第２のラッチ解除レバー３０８、及びラッチアーム錘３１２を含むのが良い。
【００６０】
ラッチアーム３０２は、プラテン組立体２００を保持するよう構成されたラッチフック３０３を有するのが良い。ラッチフック３０３は、上記図７で説明するとともに以下の図１０Ｂ及び図１０Ｃで説明するように、プラテンシャフト２０４又はプラテン軸受２１０の少なくとも一部分を包囲することによってプラテン組立体を保持するよう構成されているのが良い。
【００６１】
ラッチアーム３０２は、ピボット端部のところにシャフト受け具３２０を更に有するのが良い。例示の実施形態では、シャフト受け具３２０は、半円形の孔を有するのが良く、ラッチシャフト３０４は、シャフト受け具に侵入する半円形突出部を有するのが良い。ラッチシャフト３０４は、締結具、例えば止めねじ、クリップなどを用いてラッチアーム３０２に連結されるのが良い。第２のラッチアーム３０６は、ラッチシャフト３０４の第２の端部に連結されるのが良い。
【００６２】
ラッチアーム３０２は、ラッチ解除レバー３０２ａを含むのが良く又はこれに連結されるのが良く、ラッチ解除レバー３０２ａは、ラッチフック３０３とピボット端部との間でラッチアームから延びている。ラッチ解除レバー３０２ａは、作動時にラッチアーム３０２をラッチ留め位置からラッチ外し位置に回転させるよう構成されているのが良い。ラッチ解除レバー３０２ａは、圧力をラッチ留め位置から遠ざかって、例えば上方にラッチアーム３０２の方へ加えることによって作動されるのが良い。
【００６３】
第２のラッチ解除レバー３０８は、ラッチアーム３０２と接触状態にあるのが良い。第２のラッチ解除レバー３０８は、作動時にラッチアームをラッチ解除アーム３０２ａとは逆の方向からラッチ留め位置からラッチ外し位置に回転させるよう構成されているのが良い。例えば、第２のラッチ解除レバーは、圧力を第２のラッチ解除レバーに下向きの方向に加えることによって作動されるのが良く、それにより、第２のラッチ解除レバーは、圧力をラッチアーム３０２に加えることができ、それによりラッチアームをラッチ外し位置に回転させる。第２のラッチ解除アームの作動のそれ以上の細部については図１１Ａ及び図１１Ｂを参照して以下に説明する。
【００６４】
戻しばねマウント３１４は、ラッチシャフト３０４に連結されるのが良く、これは、例えばねじ山であるのが良い。戻しばねマウント３１４は、戻しばね、例えば図３のプラテンラッチ戻しばね１３２に連結されるのが良い。戻しばね１３２は、ラッチアーム３０２及び第２のラッチアーム３０６をラッチ留め位置の方へ付勢するのが良い。追加的に又は代替的に、戻しばねマウントは、ラッチアーム３０２又は第２のラッチアーム３０６に連結されても良い。
【００６５】
ラッチアーム錘３１２は、ラッチアーム３０２及び／又は第２のラッチアーム３０６に連結されるのが良い。ラッチアーム錘３１２は、ラッチアーム３０２及び／又は第２のラッチアーム３０６に加えられる追加材料であっても良く又は別個の錘であっても良い。ラッチアーム錘３１２は、散弾、鋼、タングステン、又は他の適当に重い材料であるのが良い。ラッチアーム錘３１２は、保持要素、例えば止めねじ３１０、クリップ、棘部などによってラッチフック３０３と反対側のピボット端部のところでラッチアーム３０２又は第２のラッチアーム３０６に連結されるのが良い。ラッチアーム錘３１２は、ラッチアーム３０２又は第２のラッチアーム３０６に作用する重力又は衝撃に対する反力をもたらすことができ、しかも戻しばね１３２に加えてラッチ位置に向かう追加の付勢力をもたらすことができる。加うるに、ラッチ錘３１２は、ピボット端部のところ、例えばシャフト受け具３２０のところのラッチアーム３０２又は第２のラッチアーム３０６の重力分布状態のバランスを取るのが良い。図１０Ｄは、ラッチアーム錘３１０がラッチ位置の方へ付勢されるよう加えられた重力又は衝撃力を示している。加うるに、重力Ｇは、ラッチアーム３０２のラッチフック３０３側端部とラッチ錘３１２の両方に加えられ、それにより衝撃又は重力がラッチアーム３０２からラッチ外し位置にシフトさせるのを阻止することができる。
【００６６】
幾つかの実施形態では、ラッチアーム錘３１２は、錘ハウジング内に保持されるのが良い。錘ハウジングは、ラッチアーム錘３１２を錘ハウジング内に包囲することにより、錘の側部に対する圧縮保持により、又は他の保持手段によってラッチアーム錘を保持するのが良い。錘ハウジングは、ラッチフック３０３と反対側のピボット端部のところでラッチアーム３０２及び／又は第２のラッチアームに連結されるのが良い。
【００６７】
図１０は、本発明の例示の実施形態による組み立て状態の例示の錘付きラッチ組立体の斜視図である。図１０Ｂは、ラッチアーム３０２をプラテン組立体２００、プラテンシャフト２０４、プラテンジャーナル２１６、及び／又はプラテン軸受２１０に係合したラッチ位置で示している。ラッチ組立体は、軸受受け具３２０を含むピボット端部のところで回動可能である。図１０Ｃでは、ラッチ解除レバー３０２ａは、作動されており、例えば、圧力Ｐ１が上向きの方向でラッチアーム３０２のラッチフック３０３に向かって加えられており、それによりラッチアームが方向Ｄ１においてラッチ外し位置に駆動され、それによりプラテン組立体２００を離脱させている。加うるに、ラッチフック突出部３０３ａが媒体蓋４２４を開くようプラテン組立体２００を方向Ｄ１ａにおいて機械的に持ち上げ又は突き出し、それにより媒体蓋４２４を開いている。図１１Ａは、本発明の実施形態によるラッチアーム及び第２の解除レバーの分解組立て図である。第２のラッチ解除レバー３０８は、少なくとも１つの解除突出部３１８又は解除孔（図示せず）に係合するよう構成された少なくとも１つの解除駆動突出部３１６を有するのが良い。例えば下向きの圧力を加えることによって、第２のラッチ解除レバー３０８を作動させる場合、解除駆動突出部３１６は、第２のラッチ解除レバーと一緒に回転することができ、それにより圧力を解除突出部３１８に加えてラッチアーム３０２をラッチ留め位置からラッチ外し位置に駆動することができる。
【００６８】
例示の実施形態では、ラッチアーム３０２及び／又は第２のラッチアーム３０６は、ラッチフック３０３とピボット端部との間に少なくとも１つの重量軽減空所３１４を有するのが良い。重量軽減空所３１４は、窪み、穴、格子構造、ウェブ状構造などであるのが良く、それによりラッチアーム３０２及び／又は第２のラッチアーム３０６の全素材を減少させることができる。
【００６９】
図１１Ｂは、本発明の例示の実施形態によるプラテンラッチ組立体３００の例示の作動状態を示している。圧力を加えることによってラッチ解除レバー３０２ａ及び／又は第２のラッチ解除レバー３０８を作動させることができる。矢印で示されているように、上向きの圧力Ｐ２をラッチフック３０３の開口端部に向かって加えることによってラッチ解除レバー３０２ａに作用させることでき、それによりラッチアームをピボット回り、例えばシャフト受け具３２０回りの回転によって方向Ｄ２においてラッチ外し位置に駆動することができる。第２のラッチレバー３０８を矢印で示すように作動させる場合、圧力Ｐ３を第２のラッチ解除レバーに下向きに加えるのが良い。第２のラッチ解除レバー３０８は、回動して少なくとも１つの解除駆動突出部３１６を駆動する。少なくとも１つの解除駆動突出部３１６は、方向Ｒ１において回転して圧力をラッチアーム３０２の解除突出部３１８に加えることができ、解除突出部３１８は、方向Ｒ２に回転し、それによりラッチアーム３０２をラッチ留め位置からラッチ外し位置に駆動する。
【００７０】
例示のロック式プラテンラッチ組立体
図１２は、本発明の幾つかの実施形態によるロック式プラテンラック組立体４００の前から見た斜視図である。変形実施形態では、ラッチ組立体３００は、上述したように、以下に説明するようにロック式プラテン組立体４００で置き換え可能である。ロック式プラテンラッチ組立体４００は、ラッチアーム４０２及びロックアーム４０４を含むのが良い。ラッチアーム４２０は、ラッチ端部のところにラッチフック４０６を備えるとともにピボット端部のところにピボット４０８を備えるのが良い。幾つかの実施形態では、ロック式プラテンラッチ組立体４００は、図９及び図１０Ａを参照して上述したようなラッチシャフト３０４及び第２のラッチアーム３０６を更に含むのが良い。ロックアーム４０４は、ラッチアーム４０２に摺動可能に結合されるのが良く、このラッチアームは、ロック位置とロック解除位置との間で並進することができる。ロックアーム４０４は、ピボット端部と反対側のロック端部のところにロックバー４１６を有するのが良い。ロックバー４１６は、ラッチフック４０６を閉じ、例えば、ラッチフック４０６をプラテン組立体のプラテンシャフト２０４、プラテンジャーナル２１６、又はプラテン軸受２１０上にかつこの周りにロックするよう構成されている。
【００７１】
ラッチアーム４０２又はロックアーム４０４は、案内４１２を受け入れる孔４１０を有するのが良い。図示の実施例では、ロックアーム４０４は、ロックアーム孔４１０を有し、ラッチアームは、複数のロックアーム案内４１２を有する。ロックアーム案内４１２は、ラッチアーム４０２に対するロックアーム４０４のアライメント又は整列状態を維持することができる。ロックアーム４０４又はラッチアーム４０２は、捕捉部、例えば、案内から孔縁上に延びる案内ヘッド又はロックアームに対するラッチアームの結合状態を維持するよう反対側のアームの縁周りに延びるラッチアーム又はロックアームからの突出部を更に有するのが良い。
【００７２】
ラッチアーム４０２は、ラッチフック４０６とピボット４０８との間に設けられた張力マウント４１４を有するのが良い。ロックアーム４０４は、ピボット端部のところに設けられた張力マウント４１６を有するのが良い。張力機構体４１８、例えばばね、弾性バンドなどがラッチアーム張力マウント４１４とロックアーム張力マウント４１６との間に連結されるのが良い。張力機構体４１８は、ロックアーム４０４をロック位置に向かって付勢するのが良い。
【００７３】
ロックアーム４０４は、ロックカム４２０を有するのが良く又はロックカム４２０に連結されるのが良く、ロックカム４２０は、ロックアームから延びている。ロックカム４２０は、ロックカムの作動に応答してロックアーム４０４をロック解除位置に動かすことができる。例えば、圧力がピボット端部の方向でロックカム４２０に加えられるのが良く、すると、ロックアーム４０４は、ロックカムに加えられた圧力に応答してロック位置からロック解除位置に摺動することができる。
【００７４】
ラッチアーム４０２は、ラッチカム４２２を有するのが良く又はラッチカム４２２に連結されるのが良く、ラッチカム４２２は、ラッチアームから延びている。ラッチカム４２２は、ラッチカムの作動に応答してラッチアーム４０２を開き位置に動かすことができる。例えば、圧力がラッチフック４０６の閉鎖端部の方向でラッチカム４２２に加えられるのが良く、すると、ラッチアーム４０２は、ラッチカムに加えられた力に応答してピボット回りに回転してラッチ留め位置からラッチ外し位置に至ることができる。ラッチ留め位置からラッチ外し位置へのラッチアーム４０２の運動により、ラッチフック４０６は、プラテン組立体２００のプラテンシャフト２０４から離脱することができる。
【００７５】
図１３Ａ〜図１３Ｃは、本発明の例示の実施形態によるロック式プラテンラッチ組立体４００の作動状態を示す前から見た斜視図である。ロック式プラテンラッチ組立体４００は、カムアクチュエータ４２４を更に含むのが良い。カムアクチュエータ４２４は、ロックアーム４０４をロック位置とロック解除位置との間で駆動するよう構成されているのが良く、更にラッチアーム４０２をラッチ留め位置からラッチ外し位置に駆動するよう構成されているのが良い。カムアクチュエータ４２４は、カムアクチュエータの作動に応答するラッチカム４２４の作動に先立ってロックカム４２０の作動を生じさせるよう構成されているのが良い。
【００７６】
例示の実施形態では、カムアクチュエータ４２４は、スライダ・起動装置（図示せず）であるのが良く、スライダは、起動を走行させ、ロックカム４２０を作動させ、次にラッチカム４２２を作動させることによって作動可能である。幾つかの例示の実施形態では、カムアクチュエータ４２４を軸線回りに回転させるのが良い。幾つかの例示の実施形態では、カムアクチュエータ４２４は、ラック４２４ａ・ピニオン４２４ｂ型アクチュエータであるのが良い。
【００７７】
カムアクチュエータ４２４は、ロック作動突出部４２６及びラッチ作動突出部４２８を有するのが良い。図１３Ａ〜図１３Ｃの図示の実施形態では、カムアクチュエータ４２４は、実質的に円形であり、中心軸線回りに回転する。カムアクチュエータ４２４は、ロック作動突出部４２６及びラッチ作動突出部４２８を有し、これら突出部は、カムアクチュエータを回転させたとき、ラッチ作動突出部がラッチカム４２２を作動させる前にロック作動カムがロックカム４２０を作動させるよう構成されている。
【００７８】
図１３Ａでは、ロック式プラテンラッチ組立体４００は、ロックかつラッチ留め位置にある。具体的に説明すると、ラッチアーム４０２は、ラッチ留め位置にあり、ラッチアームは、ラッチ留め位置にある。カムアクチュエータ４２４のロック作動突出部４２６は、ロックカム４２２の近くに位置し又はこれと接触状態にあり、ラッチ作動突出部４２８は、ラッチカム４２２から比較的距離を置いて位置している。図１３Ｂでは、カムアクチュエータ４２４は、第１の位置への回転Ｒ３によって作動されている。ロック作動突出部４２６は、圧力をロックアーム４０４のピボット端部に向かってロックカム４２０に加えている。ロックアーム４０４は、ロックカム４２０に加えられた圧力に応答して方向Ｄ４においてロック解除位置に駆動されている。図１３Ｃでは、カムアクチュエータ４２４は、第２の位置への回転Ｒ４によって作動されている。ロック作動突出部４２６は、ロックカム４２０に加わる圧力を維持し、それによりロックアーム４０４をロック解除位置に維持している。ラッチ作動突出部４２８は、圧力をラッチフック４０６の閉鎖端部に向かってラッチカム４２２に加えている。ラッチアーム４０２は、ラッチカム４２２に加えられた圧力に応答して方向Ｄ５においてラッチ解除位置に駆動されている。
【００７９】
図１３Ｄは、本発明の幾つかの例示の実施形態によるロック式プラテンラッチ組立体４００の作動状態を示す後から見た斜視図である。カムアクチュエータ４２４は、ラック４２４ａ及びピニオン４２４ｂを有するのが良い。ピニオン４２４ｂは、ロック作動突出部４２６及びラッチ作動突出部４２８を有するのが良い。ラック４２４ａは、直線歯車４３４を含むのが良く、ピニオン４２４ｂは、ピニオン歯車４３５を含むのが良い。ピニオン歯車４３５は、湾曲しているのが良く、その結果、ピニオン４２４ｂは、作動時に軸線Ａ回りに回転するようになっている。
【００８０】
カムアクチュエータ４２４を作動させる場合、ラック４２４ａは、方向Ｄ６に動くのが良く、それにより直線歯車４３４の直線運動をピニオン歯車４３４の回転運動に変換し、それによりピニオン４２４ｂは、方向Ｄ７に回転する。ピニオン４２４ｂが方向Ｄ７に回転しているとき、ロック作動突出部４２６は、圧力を方向Ｄ８においてロックカム４２２に加え、それによりロックアーム４０４を方向Ｄ９においてロック解除位置に駆動する。ピニオン４２４ｂが引き続き方向Ｄ７に回転しているとき、ラッチ作動突出部４２８は、圧力を方向Ｄ１０においてラッチカム４２２に加え、それによりラッチアーム４０２を方向Ｄ１１においてラッチ外し位置に駆動する。
【００８１】
図１４Ａ及び図１４Ｂは、本発明の例示の実施形態による例示のプラテンラッチ解除ボタンを示している。モバイルプリンタは、プリンタケーシング４３０及びプラテンラッチ解除ボタン４３２を有するのが良い。プラテン解除ボタンは、モジュール式プラテン組立体２００をプラテンラッチ組立体、例えば図９〜図１３Ｃに記載されているプラテンラッチ組立体３００又は４００から解除するよう構成されているのが良い。プラテンラッチ解除ボタン４３２は、ユーザがプラテンラッチ解除ボタンを作動させるよう押し下げる把持可能な表面を提供するよう構成された指用窪み又はキャッチを有するのが良い。プラテンラッチ解除ボタン４３２は、圧力をラッチ解除レバー３０２ａ又は第２のラッチ解除レバー３０８に加えることができる突出部を含むのが良い。幾つかの例示の実施形態では、プラテンラッチ解除レバー４３２又はカムアクチュエータ４２４は、プラテンラッチ解除レバー４３２又はカムアクチュエータの相手方のカム作動突出部を受け入れ又は受け取るよう構成された孔を有するのが良い。カム作動突出部は、プラテンラッチ解除ボタンを押す場合、圧力を加え又はカム作動孔から圧力を受け取るのが良く、それにより、カムアクチュエータが図１３Ａ〜図１３Ｃに記載されているようにロック式ラッチ組立体４００を作動させる。例示の実施形態では、プラテン解除ボタン４３２は、図１３Ｄに示されているようにラック４２４ａであっても良く又はこのラックに連結されていても良い。
【００８２】
図１４Ａのプラテンラッチ解除ボタン４３２は、プリンタケーシング４３０の長手方向軸線に沿って押し下げられ、例えば滑って動くよう構成されている。図１４Ｂに示されているプラテンラッチ解除ボタンは、プリンタケーシング４３０の長手方向軸線に沿って押し下げられるよう構成されている。
【００８３】
上述の説明及び関連の図面において提供されている教示の恩恵を受ける本発明と関連した当業者であれば本明細書に記載した本発明の多くの改造例及び他の実施形態を思いつくであろう。したがって、本発明は、開示した特定の実施形態には限定されず、添付の特許の請求の範囲に記載された本発明の範囲に含まれる改造例及び他の実施形態は、添付の特許請求の範囲に記載された本発明の範囲に含まれることは理解されるべきである。さらに、上述の説明及び関連の図面は、要素及び／又は機能のある特定の例示の組み合わせとの関連で例示の実施形態を説明しているが、理解されるべきこととして、要素及び／又は機能の種々の組み合わせを特許請求の範囲に記載された本発明の範囲から逸脱することなく変形実施形態によって提供できる。この点に関し、例えば、明示的に上述した組み合わせとは異なる要素及び／又は機能の組み合わせもまた、添付の特許請求の範囲に記載された請求項のうちの幾つかに記載されているものとして想到される。特定の用語を本明細書において採用したが、これら用語は、包括的及び説明のために用いているに過ぎず、本発明を限定する目的で用いられているわけではない。
【図１Ａ】
0006438592.tif 000002
【図１Ｂ】
0006438592.tif 000003
【図１Ｃ】
0006438592.tif 000004
【図２Ａ】
0006438592.tif 000005
【図２Ｂ】
0006438592.tif 000006
【図３】
0006438592.tif 000007
【図４】
0006438592.tif 000008
【図５】
0006438592.tif 000009
【図６Ａ】
0006438592.tif 000010
【図６Ｂ】
0006438592.tif 000011
【図７】
0006438592.tif 000012
【図８Ａ】
0006438592.tif 000013
【図８Ｂ】
0006438592.tif 000014
【図８Ｃ】
0006438592.tif 000015
【図９】
0006438592.tif 000016
【図１０Ａ】
0006438592.tif 000017
【図１０Ｂ】
0006438592.tif 000018
【図１０Ｃ】
0006438592.tif 000019
【図１０Ｄ】
0006438592.tif 000020
【図１１Ａ】
0006438592.tif 000021
【図１１Ｂ】
0006438592.tif 000022
【図１２】
0006438592.tif 000023
【図１３Ａ】
0006438592.tif 000024
【図１３Ｂ】
0006438592.tif 000025
【図１３Ｃ】
0006438592.tif 000026
【図１３Ｄ】
0006438592.tif 000027
【図１４Ａ】
0006438592.tif 000028
【図１４Ｂ】
0006438592.tif 000029